(57)【要約】【目的】  暴風等による大きな外力が負荷されてもスベリが生じることなく確実、強固にメッセンジャーワイヤに固定することができると共に、メッセンジャーワイヤの外径のサイズに対して兼用幅の広い使い勝手の良いメッセンジャーワイヤ用吊ボルト支持金具を提供することにある。【構成】  ネジ穴を設けた基板と該基板の先端を折り返して形成したメッセンジャーワイヤの固定部と該固定部から延伸して前記基板に対向すると共に、オネジを設けた締付板とからなり、前記オネジを前記ネジ穴に締結することで前記固定部に配置したメッセンジャーワイヤを挟み込んで固定する固定部本体と、吊ボルトを支持する支持部とからなるメッセンジャーワイヤ用吊ボルト支持金具において、前記基板に内側に向かって突出する凸状部を設けると共に、前記固定部には前記凸状部を跨設する押え部を設けたことを特徴とする。【選択図】図1
2010090972.tif 000002
【特許請求の範囲】
【請求項１】
ネジ穴を設けた基板と該基板の先端を折り返して形成したメッセンジャーワイヤの固定部と該固定部から延伸して前記基板に対向すると共に、オネジを設けた締付板とからなり、前記オネジを前記ネジ穴に締結することで前記固定部に配置したメッセンジャーワイヤを挟み込んで固定する固定部本体と、吊ボルトを支持する支持部とからなるメッセンジャーワイヤ用吊ボルト支持金具において、前記基板に内側に向かって突出する凸状部を設けると共に、前記固定部には前記凸状部を跨設する押え部を設けたことを特徴とするメッセンジャーワイヤ用吊ボルト支持金具。
【請求項２】
前記固定部と前記締付板間に前記固定部より大径のメッセンジャーを固定する第２固定部を設けると共に、前記基板に設けた凸状部を跨設する第２押え部を設けたことを特徴とする請求項１に記載のメッセンジャーワイヤ用吊ボルト支持金具。
【請求項３】
前記支持部を前記基板の下方に回動可能に装着したことを特徴とする請求項1乃至２に記載のメッセンジャーワイヤ用吊ボルト支持金具。
【請求項４】
前記支持部が前記基板の下端を略Ｌ型に屈曲して形成した支持片と該支持片に設けたネジ孔とからなることを特徴とする請求項1乃至２に記載のメッセンジャーワイヤ用吊ボルト支持金具。
【発明の詳細な説明】
【技術分野】
【０００１】
この発明は、電気工事において、構造物の壁や梁間に張設されるメッセンジャーワイヤに照明器具、電気器具等を取付ける吊ボルトを懸吊する吊ボルト支持金具に関する。
【背景技術】
【０００２】
従来、メッセンジャーワイヤに吊ボルトを懸吊するものとして、特開２００２−１９９５２４号の吊り金具が開示されている。
この吊り金具においてメッセンジャーワイヤに固定する固定金具本体はメッセンジャーワイヤの片側に当てる固定板と該固定板の反対側から固定板にネジ止めし、メッセンジャーワイヤの側面に２箇所で接する屈曲部を設けた圧着板からなる構造であり、ネジの締結によりメッセンジャーワイヤを固定板と圧着板により挟んで固定するものである。
【特許文献１】特開２００２−１９９５２４号
【発明の開示】
【発明が解決しようとする課題】
【０００３】
上記従来の方法では、断面円形状のメッセンジャーワイヤの側面３箇所を挟み込んで固定しているが、当接面が平面状であるために暴風等による大きな外力が負荷された場合にスベリが生じる可能性があり、メッセンジャーワイヤの長手方向に向かって固定金具自体のズレが生じて移動する可能性がある。
また、メッセンジャーワイヤは懸吊する照明器具等の重量や張設する場所、スパン等の諸条件に合う必要な強度を得るために外径の異なる複数種類のものが使い分けられている。
すなわち、使用者はメッセンジャーワイヤに固定する固定部分が複数サイズの外径に適合できる構造の形態のものが望まれていた。
【０００４】
この発明は上記従来の課題に鑑みなされたもので、その目的は、暴風等による大きな外力が負荷されてもスベリが生じることなく確実、強固にメッセンジャーワイヤに固定することができると共に、メッセンジャーワイヤの外径のサイズに対して兼用幅の広い使い勝手の良いメッセンジャーワイヤ用吊ボルト支持金具を提供することにある。
【課題を解決するための手段】
【０００５】
その手段として本発明の請求項1は、ネジ穴を設けた基板と該基板の先端を折り返して形成したメッセンジャーワイヤの固定部と該固定部から延伸して前記基板に対向すると共に、オネジを設けた締付板とからなり、前記オネジを前記ネジ穴に締結することで前記固定部に配置したメッセンジャーワイヤを挟み込んで固定する固定部本体と、吊ボルトを支持する支持部とからなるメッセンジャーワイヤ用吊ボルト支持金具において、前記基板に内側に向かって突出する凸状部を設けると共に、前記固定部には前記凸状部を跨設する押え部を設けたことを特徴とする。
【０００６】
本発明の請求項２は、前記固定部と前記締付板間に前記固定部より大径のメッセンジャーを固定する第２固定部を設けると共に、前記基板に設けた凸状部を跨設する第２押え部を設けたことを特徴とする。
【０００７】
本発明の請求項３は、前記支持部を前記基板の下方に回動可能に装着したことを特徴とする。
【０００８】
本発明の請求項４は、前記支持部が前記基板の下端を略Ｌ型に屈曲して形成した支持片と該支持片に設けたネジ孔とからなることを特徴とする。
【発明の効果】
【０００９】
以上詳細に説明したように、本発明のメッセンジャーワイヤ用吊ボルト支持金具によれば、ネジ穴を設けた基板と該基板の先端を折り返して形成したメッセンジャーワイヤの固定部と該固定部から延伸して前記基板に対向すると共に、オネジを設けた締付板とからなり、前記オネジを前記ネジ穴に締結することで前記固定部に配置したメッセンジャーワイヤを挟み込んで固定する固定部本体と、吊ボルトを支持する支持部とからなるメッセンジャーワイヤ用吊ボルト支持金具において、前記基板に内側に向かって突出する凸状部を設けると共に、前記固定部には前記凸状部を跨設する押え部を設けたことにより、オネジをネジ穴に締結してメッセンジャーワイヤの一側面に前記凸状部が当接し、対向する他側面には前記押え部が当接することで、メッセンジャーワイヤがやや屈曲した状態で固定され、スベリに対する抵抗が増し、強い外力の負荷が掛かっても滑りなく確実に固定することができる。
【００１０】
前記固定部と前記締付板間に前記固定部より大径のメッセンジャーを固定する第２固定部を設けると共に、前記基板に設けた凸状部を跨設する第２押え部を設けたことにより、メッセンジャーワイヤの異なる外径に適合する範囲を広くすることができる。
【００１１】
また、前記支持部が前記基板の下方に回動可能に装着したことにより、吊ボルトを常に垂直状態で懸吊することができ、照明器具、電気器具等を確実に安定して取付けることができるので施工の信頼性が向上する。
【００１２】
前記支持部が前記基板の下端を略Ｌ型に屈曲して形成した支持片と該支持片に設けたネジ孔とからなることにより、部品点数を削減、組立作業を削減することで製品を安価に提供することができるなど、上記従来の課題を解消することができる。
【発明を実施するための最良の形態】
【００１３】
本発明の実施例を図面により詳細に説明する。
図１は本発明の実施例を示す斜視図、図２は本発明の実施例を示す中央断面図である。
１０は固定部本体であり、帯状薄鋼板からなる基板１１の先端を略Ｕ字状に折り返してメッセンジャーワイヤの固定部１２を形成すると共に、基板１１のほぼ中央に内側に向かって突出する凸状部１３を上下方向に延伸して形成し、その凸状部１３の下側にはネジ孔１４を設ける。
１５、１５は押え部であり、固定部１２のほぼ中央に凸状部１３よりやや大きい開口溝１６を形成することで、その開口溝１６の両側片となる押え部１５、１５が凸状部１３を跨いだ状態となる。
したがって、図３に示すように、固定部１２に配置されたメッセンジャーワイヤを基板１１側から凸状部１３で、締付板２０側から押え部１５、１５により締付けられるために略くの字状に屈曲した状態で固定することができる。
２０は固定部１２から基板１１に対向するように延伸した締付板であり、その締付板２０には透孔２１を設け、その透孔２１にオネジ２２を挿通させ、オネジ２２の先端に抜止め用の樹脂ワッシャ２３を掛止することでオネジ２２を締付板２０に取付ける。
【００１４】
３０は支持部であり、帯状薄鋼板を略縦長枠状に折り曲げ、更に上面のほぼ中央で両端を上方に屈曲して接続片３１、３１を形成する。
３２は底面に設けた吊ボルトを螺着するネジ穴である。
接続片３１、３１にはそれぞれ透孔３３、３３を設けておき、基板１１が接続片３１、３１間に介在した状態で透孔３３、３３及び基板１１に設けた透孔１６をリベット３４で鋲着して、支持部３０が固定部本体１０に対して回動自在となる。
【００１５】
図４は本発明の第２実施例を示す斜視図、図５は本発明の第２実施例を示す中央断面図である。
５０は固定部本体であり、帯状薄鋼板からなる基板５１の先端を略Ｕ字状に折り返してメッセンジャーワイヤの固定部５２を形成し、更に固定部５２の下側から固定部５２より大径の円弧状に屈曲した第２固定部５７を連設する。
基板５１のほぼ中央には内側に向かって突出する凸状部５３を上下方向に延伸して形成し、その凸状部５３の下側にはネジ孔５４を設ける。
５５、５５は固定部５１に形成した押え部であり、５８、５８は第２固定部５７に形成した第２押え部であり、固定部５２から第２固定部５７に亘ってほぼ中央に凸状部５３よりやや大きい開口溝５６を形成することで、その開口溝５６の両側片となる押え部５５、５５及び第２押え部５８、５８が凸状部５３を跨いだ状態となる。
したがって、図６に示すように、第２固定部５７においても配置されたメッセンジャーワイヤを基板５１側から凸状部５３で、締付板６０側から押え部５５、５５により締付けられるために略くの字状に屈曲した状態で固定することができる。
６０は第２固定部５７から基板５１に対向するように延伸した締付板であり、その締付板６０には透孔６１を設け、その透孔６１にオネジ６２を挿通させ、オネジ６２の先端に抜止め用の樹脂ワッシャ６３を掛止することでオネジ６２を締付板６０に取付ける。
７０は支持部であり、上記に記載した第１実施例と同様の形態とする。
【００１６】
図７は吊ボルトを支持する支持部９０を固定具本体８０の基板８１の下端をＬ型に屈曲して支持片９１を設け、その支持片９１にネジ孔９２を設けた形態である。
【００１７】
また、図８は固定具本体８０の基板８１の下端に透孔８２を設け、その透孔８２に接続穴１０１を設けた吊ボルト１００をリベット等で鋲着するなどは本発明より容易に推考することができる。
【００１８】
次に本発明の実施例の使用方法を第２実施例を用いて説明する。
図９は本発明の第２実施例の使用状態を示す部分説明図、図１０は本発明の第２実施例の使用状態を示す全体説明図である。
構造物間に張設された後、あるいは、張設前のメッセンジャーワイヤＡの外径に応じて本発明の固定具本体５０の固定部５２を、あるいは第２固定部５７を選択して締付板６０の下側からオネジ６２を交わして配置し、オネジ６２をネジ孔５４に螺着して固定する。
同様にして適宜間隔で取り付け、メッセンジャーワイヤＡを張設した後、支持部７０のネジ孔７２に吊ボルトＢを螺入して取り付け、その吊ボルトＢの下側に蛍光灯Ｃを取付ける。
【図面の簡単な説明】
【００１９】
【図１】本発明の実施例を示す斜視図
【図２】本発明の実施例を示す中央断面図
【図３】本発明の実施例を示す説明図
【図４】本発明の第２実施例を示す斜視図
【図５】本発明の第２実施例を示す中央断面図図
【図６】本発明の第２実施例を示す説明図
【図７】本発明の別の実施例を示す斜視図
【図８】本発明の別の実施例を示す斜視図
【図９】本発明の第２実施例の使用状態を示す部分説明図
【図１０】本発明の第２実施例の使用状態を示す全体説明図
【符号の説明】
【００２０】
１０、５０  固定具本体
１１、５１  基板
１２、５２  固定部
１３、５３  凸状部
１４、５４  ネジ孔
１５、５５  押え部
１６、５６  開口溝
５７        第２固定部
５８        第２押え部
２０、６０  締付板
２２、６２  オネジ
３０、７０  支持部
３１、７１  接続片
３２、７２  ネジ孔
Ａ          メッセンジャーワイヤ
Ｂ          吊ボルト
Ｃ          蛍光灯
【図１】
2010090972.tif 000003
【図２】
2010090972.tif 000004
【図３】
2010090972.tif 000005
【図４】
2010090972.tif 000006
【図５】
2010090972.tif 000007
【図６】
2010090972.tif 000008
【図７】
2010090972.tif 000009
【図８】
2010090972.tif 000010
【図９】
2010090972.tif 000011
【図１０】
2010090972.tif 000012